(57)【特許請求の範囲】
【請求項１】
化粧パネルの四辺に吹出口を設けた天井埋込形空気調和機において、
前記吹出口の略中間に、両端の一側寄りに外周に突起を形成した支持部を有し、同支持部を夫々前記吹出口の両側壁に軸支された下風向板を設け、同下風向板の上面に重なるように、両端の一側寄りに外周に突起を形成した支持部を有し、同支持部を夫々前記吹出口の両側壁に前記下風向板と同軸上に軸支された上風向板を設け、前記下風向板と上風向板とを重なる方向にバネで付勢する一方、前記二つの突起の間に、同突起に係合し駆動装置にて作動する作動桿を設け、前記吹出口の一側壁に、水平吹出状態のとき前記下風向板の回動を規制する下ストッパーと、垂直吹出状態のとき前記上風向板の回動を規制する上ストッパーとを設けてなることを特徴とする天井埋込形空気調和機。
【請求項２】
前記下ストッパーと上ストッパーとの位置に、マイクロスイッチを設けてなることを特徴とする請求項１記載の天井埋込形空気調和機。
【請求項３】
前記作動桿をカムに立設し、同カムをモータにより駆動してなることを特徴とする請求項１または請求項２記載の天井埋込形空気調和機。
【請求項４】
前記カムの回動軸を、前記下風向板と上風向板との回動軸と同心としてなることを特徴とする請求項１乃至請求項３記載の天井埋込形空気調和機。
【請求項５】
前記モータを、前記カムに直結としてなることを特徴とする請求項１乃至請求項４記載の天井埋込形空気調和機。
【請求項６】
前記バネを、前記下風向板と上風向板の回動軸を軸として作動する捩じりコイルバネとし、同捩じりコイルバネの作動腕を、前記下風向板と上風向板との突起に係止してなることを特徴とする請求項１乃至請求項５記載の天井埋込形空気調和機。
【発明の詳細な説明】
【０００１】
【発明の属する技術分野】
本発明は、天井埋込形空気調和機に係わり、より詳細には、風向板の構成に関する。
【０００２】
【従来の技術】
従来の天井埋込形空気調和機は、図１０に示すように、化粧パネル１の四辺に設けた吹出口２の略中央に、前記吹出口２の左右の回動軸３より風下側に延出した左右の支持部１９ａの先端に、左右に伸長し風向に対し略直角で内外中央が風下側に張出するように湾曲した風向板１９を設けてなる構成であった。
【０００３】
【発明が解決しようとする課題】
空調気流を遠くまで届かせたい場合や、直下に強い空調気流を当てたい場合には、水平吹出と垂直吹出のときの吹出風の風速を速くする必要があるが、上記構成では、吹出口の開口面積は大きく変化しないため、風速を通常時より大幅に上げることはできなかった。
本発明においては、上記の問題点に鑑み、水平吹出と垂直吹出のときの吹出口の開口面積を狭くすることにより、吹出風の風速を速くする天井埋込形空気調和機を提供することを目的とする。
【０００４】
【課題を解決するための手段】
本発明は、上記課題を解決するため、化粧パネルの四辺に吹出口を設けた天井埋込形空気調和機において、
前記吹出口の略中間に、両端の一側寄りに外周に突起を形成した支持部を有し、同支持部を夫々前記吹出口の両側壁に軸支された下風向板を設け、同下風向板の上面に重なるように、両端の一側寄りに外周に突起を形成した支持部を有し、同支持部を夫々前記吹出口の両側壁に前記下風向板と同軸上に軸支された上風向板を設け、前記下風向板と上風向板とを重なる方向にバネで付勢する一方、前記二つの突起の間に、同突起に係合し駆動装置にて作動する作動桿を設け、前記吹出口の一側壁に、水平吹出状態のとき前記下風向板の回動を規制する下ストッパーと、垂直吹出状態のとき前記上風向板の回動を規制する上ストッパーとを設けた構成となっている。
【０００５】
また、前記下ストッパーと上ストッパーとの位置に、マイクロスイッチを設けた構成となっている。
【０００６】
また、前記作動桿をカムに立設し、同カムをモータにより駆動した構成となっている。
【０００７】
また、前記カムの回動軸を、前記下風向板と上風向板との回動軸と同心とした構成となっている。
【０００８】
また、前記モータを、前記カムに直結とした構成となっている。
【０００９】
更に、前記バネを、前記下風向板と上風向板の回動軸を軸として作動する捩じりコイルバネとし、同捩じりコイルバネの作動腕を、前記下風向板と上風向板との突起に係止した構成となっている。
【００１０】
【発明の実施の形態】
以上のような構成にて、水平吹出と垂直吹出のときの吹出口の開口面積を狭くすることにより、吹出風の風速を速くする天井埋込形空気調和機となる。
【００１１】
【実施例】
先ず、図１乃至図４および図９にて示す、本発明の一実施例について説明する。
天井面に下方を向いて設置した化粧パネル１の中央に吸込口１４を、外周部四辺に異なる方向を向いた四つの吹出口２を設け、前記吸込口１４の上面にフィルタ１５を、上方にモータ１６にて駆動される送風ファン１７を設け、同送風ファン１７の外周に熱交換器１８を設け、
前記送風ファン１７にて、前記吸込口１４より室内空気を前記フィルタ１５にて濾過して吸込み、前記熱交換器１８にて熱交換した空気を前記吹出口２より吹き出す。
外側壁２ａと内側壁２ｂおよび両側壁２ｃより構成される前記吹出口２の前記両側壁２ｃに、両端にＥリング溝３ａを形成した回動軸３を挿通する挿通穴２ｄを形成し、前記両側壁２ｃに近接して前記化粧パネル１の背面に突出し、前記挿通穴２ｄと同軸の挿通穴４ａを形成した固定リブ４を設け、前記両側壁２ｃの一側に下ストッパー５と上ストッパー６とを設ける。なお、前記挿通穴２ｄは、前記外側壁２ａと内側壁２ｂとの略中間位置に形成し、前記下ストッパー５は後記下風向板７が水平吹出状態のとき当接する位置に形成し、前記上ストッパー６は後記上風向板８が垂直吹出状態のとき当接する位置に形成する。
一方、前記回動軸３を挿通する挿通穴７ｂを形成し、外周に後記カム１０の作動桿１０ａにより駆動される突起７ｃとを形成した支持部７ａを両端に備え、同支持部７ａより風下側に延出し、一側に前記上ストッパー６に当接しないように切欠７ｄを形成した下風向板７と、前記下風向板７の両端の支持部７ａの内側に後記捩じりコイルバネ９の厚み分狭く形成し、前記回動軸３を挿通する挿通穴８ｂを形成し、外周に後記カム１０の作動桿１０ａにより駆動される突起８ｃとを形成した支持部８ａを両端に備え、同支持部８ａより風下側に延出し、前記下風向板７の上に重なるようにして設ける上風向板８とを、前記吹出口２の両側壁２ｃの間に配設し、前記回動軸３を前記両側壁２ｃの挿通穴２ｄと前記固定リブ４の挿通穴４ａとに挿通し、更に下風向板７の支持部７ａの挿通穴７ｂと捩じりコイルバネ９のコイル部９ａと上風向板８の支持部８ａの挿通穴８ｂとに挿通後、前記両端のＥリング溝３ａにＥリング２０を装着することにより、前記下風向板７と上風向板８とを軸支する。前記捩じりコイルバネ９の両端の作動腕９ｂを夫々、前記下風向板７の支持部７ａの突起７ｃと上風向板８の支持部８ａの突起８ｃとに引っ掛けることにより、前記下風向板７と上風向板８とが前記捩じりコイルバネ９の力で重なる方向に押し付けられる。更に、前記化粧パネル１の背面に、前記回動軸３と同心に、モータ１１の軸１１ａに直結されたカム１０を設け、同カム１０より突設した作動桿１０ａを、前記下風向板７の支持部７ａの突起７ｃと上風向板８の支持部８ａの突起８ｃとに係合し、前記下風向板７と上風向板８とを回動させる。
次に、動作について説明する。
前記モータ１１を図３の時計方向に回転すると、前記カム１０の作動桿１０ａは前記上風向板８の支持部８ａの突起８ｃを押し、前記捩じりコイルバネ９の力で重なり合った前記上風向板８と下風向板７とを水平吹出方向に回転させる。一定量回転したところで、前記下風向板７が前記下ストッパー５に当接し回転を止めるが、前記上風向板８は前記捩じりコイルバネ９を更に捩じり込みながら前記作動桿１０ａに押されて回転を続け、前記上風向板８がほぼ前記吹出口２の外側を閉じたところで、事前に設定された前記モータ１１の作動限界となり、停止する。同様に、前記モータ１１を図４の反時計方向に回転すると、前記カム１０の作動桿１０ａは前記下風向板７の支持部７ａの突起７ｃを押し、前記捩じりコイルバネ９の力で重なり合った前記下風向板７と上風向板８とを垂直吹出方向に回転させる。一定量回転したところで、前記上風向板８が前記上ストッパー６に当接し回転を止めるが、前記下風向板７は前記捩じりコイルバネ９を更に捩じり込みながら前記作動桿１０ａに押されて回転を続け、前記下風向板７がほぼ前記吹出口２の内側を閉じたところで、事前に設定された前記モータ１１の作動限界となり、停止する。
【００１２】
次に、図５乃至図９にて示す他の実施例について説明する。
前記実施例とは、下ストッパーと上ストッパーの構成が異なる。
前記下ストッパー５と上ストッパー６との位置に、夫々下マイクロスイッチ１２と上マイクロスイッチ１３とを設け、前記下風向板７が前記下マイクロスイッチ１２に当接し、同下マイクロスイッチ１２を押すと、図示しない制御系に同下マイクロスイッチ１２がＯＮであることが伝わり、同様に、前記上風向板８が前記上マイクロスイッチ１３に当接し、同上マイクロスイッチ１３を押すと、前記制御系に同上マイクロスイッチ１３がＯＮであることが伝わる。
次に、動作について説明する。
下マイクロスイッチ１２がＯＮしたとき、前記制御系にて前記モータ１１を直ちに停止させることにより、前記上風向板８が前記吹出口２の外側を閉じないため、風速が通常の速さの水平吹出状態になり、同様に、上マイクロスイッチ１３がＯＮしたとき、前記制御系にて前記モータ１１を直ちに停止させることにより、前記下風向板７が前記吹出口２の内側を閉じず風速が通常の速さの垂直吹出状態になる。
更に、上記状態より、前記制御系にて前記モータ１１を駆動して、前記吹出口２の外側または内側を、前記上風向板８または下風向板７により閉じ、風速の速い水平吹出状態または垂直吹出状態とすることができ、水平吹出と垂直吹出ともに風速を二段階に調節できるようになる。
【００１３】
前記下風向板７と上風向板８との支持部７ａ、８ａに、前記回動軸３より放射上方向に突出した突起７ｃ、８ｃを形成する一方、同突起７ｃ、８ｃに係合する作動桿１０ａを有し、モータ１１により駆動されるカム１０を設けた駆動装置を各風向板毎に取付けることにより、信頼性が高く、各風向板毎に個別に制御可能な駆動装置となる。
【００１４】
前記カム１０の回動軸を、前記下風向板７と上風向板８との回動軸３と同心とすることにより、前記作動桿１０ａが前記突起７ｃ、８ｃより外れ難くし、カム１０の作動角を最小に抑え、作動時間を最小限に抑えることができる。
【００１５】
前記モータ１１を、前記カム１０に直結することにより、部品点数が少なく、信頼性の高い駆動装置となる。
【００１６】
前記捩じりコイルバネ９のコイル部９ａを前記回動軸３に挿通し、前記下風向板７の支持部７ａと上風向板８の支持部８ａとの間に配設し、前記捩じりコイルバネ９の作動腕９ｂを、前記下風向板７の支持部７ａの突起７ｃと上風向板８の支持部８ａの突起８ｃとに引っ掛けた構成とすることにより、取付スペースが少なくて済むため、吹出口のデッドスペースが少なくて済むとともに、部品点数も最少限に抑えることができる。
【００１７】
【発明の効果】
以上説明したように、本発明によれば、水平吹出と垂直吹出のときの吹出口の開口面積を狭くすることにより、吹出風の風速を速くする天井埋込形空気調和機となる。
【図面の簡単な説明】
【図１】本発明による天井埋込形空気調和機の全体構成を示す側面から見た断面図である。
【図２】本発明による天井埋込形空気調和機の化粧パネルを裏面から見た図である。
【図３】本発明による天井埋込形空気調和機の一実施例の要部断面図で、水平吹出状態を示す。
【図４】本発明による天井埋込形空気調和機の一実施例の要部断面図で、垂直吹出状態を示す。
【図５】本発明による天井埋込形空気調和機の一実施例の要部平面図である。
【図６】本発明による天井埋込形空気調和機の他の実施例の要部断面図で、風速の遅い水平吹出状態を示す。
【図７】本発明による天井埋込形空気調和機の他の実施例の要部断面図で、風速の遅い垂直吹出状態を示す。
【図８】本発明による天井埋込形空気調和機の他の実施例の要部断面図で、風速の速い水平吹出状態を示す。
【図９】本発明による天井埋込形空気調和機の他の実施例の要部断面図で、風速の速い垂直吹出状態を示す。
【図１０】従来例による天井埋込形空気調和機の側面から見た要部断面図である。
【符号の説明】
１  化粧パネル
２  吹出口
２ｃ  両側壁
３  回動軸
５  下ストッパー
６  上ストッパー
７  下風向板
８  上風向板
７ａ、８ａ  支持部
７ｃ、８ｃ  突起
９  捩じりコイルバネ
１０  カム
１０ａ  作動桿
１１  モータ
１２  下マイクロスイッチ
１３  上マイクロスイッチ
【図１】
0003697842.tif 000002
【図２】
0003697842.tif 000003
【図３】
0003697842.tif 000004
【図４】
0003697842.tif 000005
【図５】
0003697842.tif 000006
【図６】
0003697842.tif 000007
【図７】
0003697842.tif 000008
【図８】
0003697842.tif 000009
【図９】
0003697842.tif 000010
【図１０】
0003697842.tif 000011